(57)【要約】【課題】抽出される液量調節のための製造コストを低減し得る飲料供給器を実現する。【解決手段】本発明の電気ケトル（１００）は、注水レバー（３１）と、複数の流路（６１、６２）と、注水レバー（３１）の操作により流路（６１、６２）を開閉するメイン開閉弁（４１）およびサブ開閉弁（４２）と、使用者の切替操作を受け付けメイン開閉弁（４１）の開閉を無効に切り替える切替部と、を備え、切替部の切り替えにより、注ぎ口部（１２）からの液体の抽出量が変わる。【選択図】図３
2020185280.tif 000002
【特許請求の範囲】
【請求項１】
使用者の抽出操作を受け付ける抽出レバーと、
貯液部から注ぎ口部へ液体を送る複数の流路と、
前記複数の流路のうち少なくとも１つに設けられ、前記抽出レバーの抽出操作により前記流路を開閉する複数の開閉弁と、
使用者の切替操作を受け付け、前記複数の開閉弁のうち少なくとも１つである切替対象弁の開閉を無効に切り替える切替部と、を備え、
前記切替部の切り替えにより、注ぎ口部からの液体の抽出量が変わる、飲料供給器。
【請求項２】
前記複数の開閉弁は、前記複数の流路それぞれに対応して設けられている、請求項１に記載の飲料供給器。
【請求項３】
前記切替部は、前記切替対象弁を押圧することで開弁させる当接押圧部と、前記切替対象弁を押圧しない非当接押圧部と、を備え、使用者の切替操作を受け付けて前記当接押圧部と前記非当接押圧部とを切り替える、請求項１または２に記載の飲料供給器。
【請求項４】
前記当接押圧部と前記非当接押圧部との前記切り替えは、前記当接押圧部が前記切替対象弁に対して相対的に移動することにより行われる、請求項３に記載の飲料供給器。
【請求項５】
前記複数の流路は、第１および第２の流路からなり、
前記開閉弁は、前記第１の流路の開閉を切替える第１の開閉弁と、前記第２の流路の開閉を切替える第２の開閉弁と、からなり、
前記抽出レバーに連動して前記第１および第２の開閉弁を押圧することで開弁させる開弁部を備え、
前記開弁部は、
前記切替部が設けられ、前記第１の開閉弁を開弁させる第１の開弁部と、
前記第１の開弁部に連動して前記第２の開閉弁を開弁させる第２の開弁部と、を備え、
前記切替部の切り替えにより、前記第１の開閉弁の開閉が無効になる一方、前記第２の開閉弁の開閉は有効である、請求項１〜４の何れか１項に記載の飲料供給器。
【請求項６】
前記注ぎ口部は、液体が抽出される方向に対して垂直な断面形状が下方へ窪んだＵ字形状であり、
前記注ぎ口部を構成する側壁面は、前記注ぎ口部の底部を構成する曲面から上方へ延在する偏平面を２つ有する、請求項１〜５の何れか１項に記載の飲料供給器。
【発明の詳細な説明】
【技術分野】
【０００１】
本発明は、ハンドポットや電気ケトル等の飲料供給器に関する。
【背景技術】
【０００２】
ハンドポットや電気ケトル等、取っ手を持って傾けることによって飲料等の内容物を供給する飲料供給器は、持ち運びが簡単であり、かつ、手軽にお湯等を沸かすことができるため、一般的に広く普及している。
【０００３】
例えば特許文献１には、カムを回動させることにより開閉弁を上下動させる調節レバーを備えた電気ケトルが記載されている。この電気ケトルでは、調節レバーを操作することにより、開閉弁を上下方向に移動させて液体供給口の開放度合いを調節するようになっている。
【０００４】
また、特許文献２には、給湯レバーと湯量切り替えスイッチとを備えた電気ケトルが記載されている。この電気ケトルでは、湯量切り替えスイッチを移動操作することにより、出水口シャッターが下がり、弁部が流路の一部を塞ぐ。
【先行技術文献】
【特許文献】
【０００５】
【特許文献１】特開２０１２−１９６３５５号公報（２０１２年１０月１８日公開）
【特許文献２】特開２０１３−２３３２２５号公報（２０１３年１１月２１日公開）
【発明の概要】
【発明が解決しようとする課題】
【０００６】
しかしながら、特許文献１または２に記載の電気ケトルでは、注出される液量の調節のために、カム機構あるいは出水口シャッターの移動機構が備えられており、構造が複雑化するという課題がある。
【０００７】
本発明の一態様は、簡単な構造により液量調節が可能な飲料供給器を実現することを目的とする。
【課題を解決するための手段】
【０００８】
上記の課題を解決するために、本発明の態様１に係る飲料供給器は、使用者の抽出操作を受け付ける抽出レバーと、貯液部から注ぎ口部へ液体を送る複数の流路と、前記複数の流路のうち少なくとも１つに設けられ、前記抽出レバーの抽出操作により前記流路を開閉する複数の開閉弁と、使用者の切替操作を受け付け、前記複数の開閉弁のうち少なくとも１つである切替対象弁の開閉を無効に切り替える切替部と、を備え、前記切替部の切り替えにより、注ぎ口部からの液体の抽出量が変わる構成である。
【０００９】
上記構成の飲料供給器は、貯液部から注ぎ口部へ液体を送る複数の流路を備えた構成である。そして、前記複数の開閉弁は、前記抽出レバーの抽出操作により複数の流路を開閉する。ここで、上記の構成によれば、前記切替部は、使用者の切替操作を受け付け、前記複数の開閉弁のうち少なくとも１つである切替対象弁の開閉を無効に切り替える。このため、前記抽出レバーの抽出操作により開弁動作をしても、切替部により開閉が無効になった切替対象弁は閉じたままとなる。それゆえ、前記複数の流路のうち、前記切替対象弁が設けられた流路から前記注ぎ口部へ液体が流れなくなる。それゆえ、上記の構成によれば、前記切替部の切り替えにより、注ぎ口部からの液体の抽出量が変わる。
【００１０】
上記の構成によれば、貯液部から注ぎ口部へ液体を送る複数の流路の開閉が、使用者の抽出操作に連動する開閉弁、および切替対象弁の開閉を無効に切り替える前記切替部によって調節されている。すなわち、注ぎ口部へ液体を送る複数の流路の開閉調節により、注ぎ口部からの液体の抽出量が変わる。よって、上記の構成によれば、注出される液量の調節のために、カム機構あるいは出水口シャッターの移動機構を設ける必要がなく、簡単な構造により液量調節が可能となる。
【００１１】
本発明の態様２に係る飲料供給器は、態様１において、前記複数の開閉弁は、前記複数の流路それぞれに対応して設けられている構成であってもよい。これにより、液体の抽出量の調節機構の製造コストを低減し得る飲料供給器を実現できる。
【００１２】
本発明の態様３に係る飲料供給器は、態様１または２において、前記切替部は、前記切替対象弁を押圧することで開弁させる当接押圧部と、前記切替対象弁を押圧しない非当接押圧部と、を備え、使用者の切替操作を受け付けて前記当接押圧部と前記非当接押圧部とを切り替える構成であってもよい。これにより、前記切替対象弁の開閉を無効に切り替えることができる。
【００１３】
本発明の態様４に係る飲料供給器は、態様３において、前記当接押圧部と前記非当接押圧部との前記切り替えは、前記当接押圧部が前記切替対象弁に対して相対的に移動することにより行われる構成であってもよい。このような構成により、切り替えに関する機構を、その厚みを抑制しながら構成することができる。
【００１４】
本発明の態様５に係る飲料供給器は、態様１〜４の何れかにおいて、前記複数の流路は、第１および第２の流路からなり、前記開閉弁は、前記第１の流路の開閉を切替える第１の開閉弁と、前記第２の流路の開閉を切替える第２の開閉弁と、からなり、前記抽出レバーに連動して前記第１および第２の開閉弁を押圧することで開弁させる開弁部を備え、前記開弁部は、前記切替部が設けられ、前記第１の開閉弁を開弁させる第１の開弁部と、前記第１の開弁部に連動して前記第２の開閉弁を開弁させる第２の開弁部と、を備え、前記切替部の切り替えにより、前記第１の開閉弁の開閉が無効になる一方、前記第２の開閉弁の開閉は有効である構成であってもよい。
【００１５】
上記の構成によれば、前記抽出レバーの操作により、前記第１および第２の開閉弁の両方の開閉が切り替えられる。そして、上記の構成によれば、前記切替部の切り替えにより、前記第１の開閉弁の開閉が無効になる一方、前記第２の開閉弁の開閉は有効であるので、前記抽出レバーの操作により第１および第２の開閉弁の両方を開状態に切り替えたとき、第２の開閉弁は常時開状態となる。一方、第１の開閉弁は、使用者による前記切替部の切替動作に依存して開閉が無効または有効となる。それゆえ、上記の構成では、抽出レバーおよび切替部の操作により、第１および第２の流路の両方が開状態、および第２の流路のみが開状態に切り替えることができる。それゆえ、抽出レバーの操作により飲料を注ぎ口部から抽出するに際し、前記注ぎ口部から抽出される液量を切替えることができる。
【００１６】
本発明の態様６に係る飲料供給器は、態様１〜５の何れかにおいて、前記注ぎ口部は、液体が抽出される方向に対して垂直な断面形状が下方へ窪んだＵ字形状であり、前記注ぎ口部を構成する側壁面は、前記注ぎ口部の底部を構成する曲面から上方へ延在する偏平面を２つ有してもよい。
【００１７】
上記の構成によれば、前記注ぎ口部を構成する側壁面は、前記注ぎ口部の底部を構成する曲面から上方へ延在する偏平面を２つ有しているので、前記注ぎ口部には、飲料が流れるガイドが２つ形成されたことになる。すなわち、注ぎ口部全体を流れる飲料のガイドに加え、前記２つの偏平面と前記底部を構成する曲面とによって、少量の飲料が流れるガイドが形成される。それゆえ、前記注ぎ口部から注出される飲料の量を少量にしたとき、前記注ぎ口部から注出される飲料の整流性が向上する。
【発明の効果】
【００１８】
本発明の一態様によれば、簡単な構造により湯量調節が可能な飲料供給器を実現できる。
【図面の簡単な説明】
【００１９】
【図１】１０１０は、本発明の実施形態１に係る電気ケトルの側方から見た外観を示す斜視図であり、１０２０は、本発明の実施形態１に係る電気ケトルの前方から見た外観を示す斜視図である。
【図２】２０１０は、本発明の実施形態１に係る電気ケトルに備えられた蓋体の外観を示す斜視図であり、２０２０は、本発明の実施形態１に係る電気ケトルに備えられた蓋体の内部構成を示す斜視図である。
【図３】本発明の実施形態１に係る電気ケトルに備えられた蓋体の構成を示す断面図であり、３０１０は、通常使用時における蓋体の状態を示し、３０２０は、少量使用時における蓋体の状態を示す。
【図４】本発明の実施形態２に係る電気ケトルに関し、４０１０は、電気ケトルの注ぎ口部の上方から見た外観を示す斜視図である。また、４０２０は、電気ケトルの注ぎ口部の前後方向に対して垂直な断面形状を示す断面図である。
【発明を実施するための形態】
【００２０】
〔実施形態１〕
以下、本発明の一実施形態について、詳細に説明する。図１の１０１０は、本実施形態に係る電気ケトル１００の側方から見た外観を示す斜視図であり、図１の１０２０は、本実施形態に係る電気ケトル１００の前方から見た外観を示す斜視図である。
【００２１】
図１の１０１０および１０２０に示されるように、本実施形態に係る電気ケトル１００（以下、本電気ケトル１００と称する）は、ケトル本体１０と、給電台２０と、蓋体３０と、を備えている。ケトル本体１０（貯液部）は、上方が開口し底部には加熱ヒータ１４が配置されている。ケトル本体１０には、所定量の水等の飲料が収容される。給電台２０は、ケトル本体１０が載置され、ケトル本体１０の加熱ヒータ１４に給電する。蓋体３０は、ケトル本体１０の開口を覆うように着脱可能に設けられており、着脱機構（不図示）および弁開閉機構（図２参照）等を備えている。また、ケトル本体１０の側壁部には、使用者が把持可能な取っ手部１１が設けられている。
【００２２】
なお、ここでは、ケトル本体１０に対して蓋体３０側を上側、上方とし、ケトル本体１０に対して給電台２０側の下側、下方とする。また、ケトル本体１０に対して取っ手部１１側を後側、後方とし、ケトル本体１０に対して取っ手部１１と反対側を前側、前方とする。
【００２３】
ケトル本体１０の前方には、注ぎ口部１２が設けられている。図１の１０２０に示されるように、電気ケトル１００では、ケトル本体１０から注ぎ口部１２へ液体を供給する２つの流路６１および６２が設けられている。注ぎ口部１２近傍では、流路６２（第２の流路）は、流路６１（第１の流路）内の略中央に設けられている。また、流路６１と流路６２とは、互いに平行になるように注ぎ口部１２へ向かって延びている。流路６２は、流れる液体の量が流路６１を流れる液体の量よりも小さくなるように構成されている。本電気ケトル１００の場合、流路６２は、例えば、コーヒーをドリップする時等に十分な量（少量）のお湯が注ぎ口部１２へ供給されるように構成されている。
【００２４】
図２の２０１０は、蓋体３０の外観を示す斜視図である。また、図２の２０２０は、蓋体３０の内部構成を示す斜視図である。また、図３は、蓋体３０の構成を示す断面図であり、図３の３０１０は、カップラーメンにお湯を注ぐ時などの通常使用時における蓋体３０の状態を示し、図３の３０２０は、コーヒーのドリップ時などの少量使用時における蓋体３０の状態を示す。
【００２５】
図３の２０１０および２０２０に示されるように、蓋体３０は、上蓋３０ａと、筐体部３０ｂと、を備えている。筐体部３０ｂには、蓋体３０の各種機構（弁開閉機構、ケトル本体１０から着脱する機構等）を構成する各種部材が収容されている。上蓋３０ａは、筐体部３０ｂを閉塞する部材である。
【００２６】
蓋体３０の上側部分には、上蓋３０ａから突出するように湯量切り替えスイッチ３６が設けられている。また、蓋体３０の後側部分には、使用者の抽出操作を受け付ける注水レバー３１（抽出レバー）が上蓋３０ａおよび筐体部３０ｂから突出するように設けられている。本電気ケトル１００では、この注水レバー３１が下方へ押圧されると、後述するメイン開閉弁４１およびサブ開閉弁４２が開放され、ケトル本体１０内の液体が注ぎ口部１２から注出される。
【００２７】
蓋体３０は、メイン開閉弁４１（第１の開閉弁）と、サブ開閉弁４２（第２の開閉弁）と、を備えている。メイン開閉弁４１およびサブ開閉弁４２はそれぞれ、流路６１および６２に設けられており、注水レバー３１の抽出操作により流路６１および６２を開閉する。メイン開閉弁４１は、流路６１の開閉を上下動により切り替える弁であり、下方へ移動すると流路６１が開状態となる。また、サブ開閉弁４２は、流路６２の開閉を上下動により切り替える弁であり、下方へ移動すると流路６２が開状態となる。湯量切り替えスイッチ３６は、メイン開閉弁４１の開閉の有効または無効を指定するように構成されている。
【００２８】
また、蓋体３０には、サブ開閉弁４２に、圧縮コイルバネ４３が設けられている。この圧縮コイルバネ４３は、サブ開閉弁４２の下方から当接し、その弾性力によりサブ開閉弁４２を上方へ付勢する。また、図示していないが、サブ開閉弁４２と同様に、メイン開閉弁４１にも、当該メイン開閉弁４１の下方から当接し弾性力によりメイン開閉弁４１を上方へ付勢する圧縮コイルバネが設けられている。
【００２９】
また、蓋体３０は、メイン開閉弁４１を下方へ押圧することにより開弁する第１開弁部材３２（開弁部、第１の開弁部）と、サブ開閉弁４２を下方へ押圧することにより開弁する第２開弁部材３３（開弁部、第２の開弁部）と、を備えている。第１開弁部材３２は、注水レバー３１に連動してメイン開閉弁４１を下方へ押圧するように構成されている。また、第２開弁部材３３は、第１開弁部材３２に連動してサブ開閉弁４２を下方へ押圧するように構成されている。
【００３０】
より具体的には、注水レバー３１は、蓋体３０に支持軸３１ａ周りに回転自在に支持されている。また、注水レバー３１の前方の端部は、第１開弁部材３２の後方の端部に下方から当接している。また、第１開弁部材３２は、蓋体３０に支持軸３２ａ周りに回転自在に支持されている。第１開弁部材３２の前方の端部は、メイン開閉弁４１の上部に上方から当接するように構成されている。
【００３１】
また、第２開弁部材３３の後側部分は、第１開弁部材３２における支持軸３２ａより前側部分と図示しない支持軸を介して連結している。第２開弁部材３３は、この支持軸周りに第１開弁部材３２に対して回転自在に連結している。また、第２開弁部材３３の前側部分は、蓋体３０に支持軸３３ｂ周りに回転自在に支持されている。また、第２開弁部材３３は、第１開弁部材３２との連結部分から支持軸３３ｂまでの部分が、サブ開閉弁４２の上部に上方から当接するように構成されている。
【００３２】
本電気ケトル１００は、使用者の切替操作を受け付け、メイン開閉弁４１およびサブ開閉弁４２のうちメイン開閉弁４１（切替対象弁）の開閉を無効に切り替える切替部を備えている。
【００３３】
前記切替部は、第１開弁部材３２を含む。第１開弁部材３２は、メイン開閉弁４１を上方から押圧しない開口部３４（非当接押圧部）と、開口部３４においてスライドし、かつメイン開閉弁４１を上方から押圧することで開弁させるスライド部材３５（当接押圧部）と、を備える。
【００３４】
スライド部材３５は、第１開弁部材３２にガイドされて開口部３４をスライドする。スライド部材３５（当接押圧部）と開口部３４（非当接押圧部）との切り替えは、スライド部材３５がメイン開閉弁４１に対して相対的に移動（スライドする態様）することにより行われる。
【００３５】
切替部は、使用者の切替操作を受け付けてスライド部材３５と開口部３４とをスライドして切り替える湯量切り替えスイッチ３６を備えている。湯量切り替えスイッチ３６は、メイン開閉弁４１の開閉を指定するように構成されている。湯量切り替えスイッチ３６は、メイン開閉弁４１が第１開弁部材３２と重畳する部分を、開口部３４であるかスライド部材３５であるかを切り替えることによって、メイン開閉弁４１の開閉を無効に切り替えるように構成されている。
【００３６】
開口部３４およびスライド部材３５は、第１開弁部材３２におけるメイン開閉弁４１と当接する部分に配置されている。図３の３０１０および３０２０に示されるように、湯量切り替えスイッチ３６の下端部は、スライド部材３５に連結している。スライド部材３５は、支持軸３５ａ周りに第１開弁部材３２に対して回転自在に連結している。
【００３７】
次に、切り替え機構により注ぎ口部１２から注出される液量の調節について説明する。
【００３８】
＜通常使用時の液量を供給する場合＞
湯量切り替えスイッチ３６が通常液量を注出する際の位置（ここでは前方側へ移動させた位置）にあるとき、第１開弁部材３２のメイン開閉弁４１と重畳する位置の開口部３４は、スライド部材３５により閉じられている。この状態において、注水レバー３１が下方へ押圧されると、注水レバー３１の前方の端部が支持軸３１ａ周りに上方に回転し、第１開弁部材３２の後方の端部が上方に押圧される。すると、第１開弁部材３２の前方の端部が支持軸３２ａ周りに下方に回転する。そして、第１開弁部材３２に設けられたスライド部材３５がメイン開閉弁４１に当接し、メイン開閉弁４１の上部を上方から押圧する。このため、メイン開閉弁４１が開状態となる。
【００３９】
また、第１開弁部材３２の前方の端部が下方に回転したことに伴い、第２開弁部材３３の後方の端部が支持軸３３ｂ周りに下方に回転する。これにより、第２開弁部材３３がサブ開閉弁４２の上部が上方から押圧されるため、サブ開閉弁４２が開状態となる。
【００４０】
すなわち、メイン開閉弁４１およびサブ開閉弁４２の両方が開状態となり、使用者はお湯を注ぎ口部１２から通常使用時の液量を注ぐことが可能になる。
【００４１】
なお、使用者がお湯を注ぐのを止めるときは、注水レバー３１の下方への押圧を止める。すると、圧縮コイルバネ４３等の弾性力により、注水レバー３１、第１開弁部材３２、および第２開弁部材３３は、押圧されていた注水レバー３１が初期の位置に復帰する。その結果、メイン開閉弁４１およびサブ開閉弁４２が閉状態に戻り、ケトル本体１０からのお湯の供給が停止される。
【００４２】
＜少量使用時の液量を供給する場合＞
湯量切り替えスイッチ３６が少量液量を注出する際の位置（ここでは後方側へ移動させた位置）にあるとき、第１開弁部材３２のメイン開閉弁４１と重畳する位置の開口部３４はスライド部材３５により閉じられていない。この状態において、注水レバー３１が下方へ押圧されると、注水レバー３１の前方の端部が支持軸３１ａ周りに上方に回転し、第１開弁部材３２の後方の端部が上方に押圧される。すると、第１開弁部材３２の前方の端部が支持軸３２ａ周りに下方に回転する。
【００４３】
ここで、メイン開閉弁４１は、第１開弁部材３２の開口部３４を挿通して通過するため、スライド部材３５と当接しない。したがって、メイン開閉弁４１は上方から押圧されないこと（以下、非押圧という）となり、開弁されない（メイン開閉弁４１は閉弁された状態のままである）。
【００４４】
一方、第１開弁部材３２の前方の端部が下方に回転したことに伴い、第２開弁部材３３が支持軸３３ｂ周りに下方に回転する。これにより、第２開弁部材３３がサブ開閉弁４２の上部が上方から押圧されるため、サブ開閉弁４２が開状態となる。
【００４５】
すなわち、メイン開閉弁４１が閉状態である一方、サブ開閉弁４２が開状態となり、流路６２のみからの液体の供給となるため、使用者はお湯を注ぎ口部１２から少量使用時の液量を注ぐことが可能になる。
【００４６】
このように本電気ケトル１００は、使用者の抽出操作を受け付ける注水レバー３１と、ケトル本体１０から注ぎ口部１２へ液体を送る流路６１および６２と、メイン開閉弁４１およびサブ開閉弁４２と、切替部と、を備えている。メイン開閉弁４１およびサブ開閉弁４２は、流路６１および６２それぞれに設けられ、注水レバー３１の抽出操作により流路６１および６２を開閉する。また、前記切替部は、第１開弁部材３２に設けられた開口部３４、スライド部材３５、および湯量切り替えスイッチ３６を備えており、使用者の切替操作を受け付け、メイン開閉弁４１およびサブ開閉弁４２のうちメイン開閉弁４１（切替対象弁）の開閉を無効に切り替える。そして、本電気ケトル１００は、前記切替部の切り替えにより、注ぎ口部１２からの液体の抽出量が変わる構成である。
【００４７】
本電気ケトル１００によれば、注水レバー３１の抽出操作により開弁動作をしても、切替部により開閉が無効になったメイン開閉弁４１は閉じたままとなる。それゆえ、流路６１および６２のうち、メイン開閉弁４１が設けられた流路６１から注ぎ口部１２へ液体が流れなくなる。それゆえ、前記切替部の切り替えにより、注ぎ口部１２からの液体の抽出量が変わる。
【００４８】
電気ケトル１００では、ケトル本体１０から注ぎ口部１２へ液体を送る流路６１および６２の開閉が、使用者の抽出操作に連動するメイン開閉弁４１およびサブ開閉弁４２、並びにメイン開閉弁４１の開閉を無効に切り替える切替部によって調節されている。すなわち、注ぎ口部１２へ液体を送る流路６１および６２の開閉調節により、注ぎ口部１２からの液体の抽出量が変わる。このため、流路６１および６２に設けられたメイン開閉弁４１およびサブ開閉弁４２の開閉切替動作のみで液体の抽出量が変わるので、１つの液体供給流路に対して多段カムや出水口シャッターによって抽出される液体の量が調節される従来の飲料供給器と比較して、液体の抽出量の調節機構の構造に高い精度を必要としない。このため、液体の抽出量の調節機構の製造コストを低減し得る飲料供給器を実現できる。さらには、注出される液量の調節のために、カム機構あるいは出水口シャッターの移動機構を設ける必要がなく、簡単な構造により液量調節が可能となる。
【００４９】
なお、本電気ケトル１００は、注ぎ口部１２へ液体を供給する流路が２つ設けられた構成であったが、上記の構成に限定されず、３以上の流路が設けられ、当該複数の流路のうち少なくとも１つの開閉が切替部により無効に切り替えられる構成であればよい。このような構成であれば、湯量の調節が可能である。
【００５０】
また、本電気ケトル１００は、流路６１および６２それぞれにメイン開閉弁４１およびサブ開閉弁４２が設けられた構成であったが、上記の構成に限定されず、複数の流路が設けられ、抽出レバーの抽出操作により流路を開閉する開閉弁が複数の流路の少なくとも１つに設けられた構成であればよい。
【００５１】
また、電気ケトル１００によれば、注水レバー３１に連動してメイン開閉弁４１およびサブ開閉弁４２を押圧することで開弁する開弁部は、切替部が設けられ、メイン開閉弁４１を開弁させる第１開弁部材３２と、第１開弁部材３２に連動してサブ開閉弁４２を開弁させる第２開弁部材３３と、を備えている。そして、切替部の切り替えにより、メイン開閉弁４１の開閉が無効になる一方、サブ開閉弁４２の開閉は有効である。
【００５２】
電気ケトル１００では、注水レバー３１の操作により、メイン開閉弁４１およびサブ開閉弁４２の両方の開閉が切り替えられる。そして、切替部の切り替えにより、メイン開閉弁４１の開閉が無効になる一方、サブ開閉弁４２の開閉は有効であるので、注水レバー３１の操作によりメイン開閉弁４１およびサブ開閉弁４２の両方を開状態に切り替えたとき、第２の開閉弁は常時開状態となる。一方、メイン開閉弁４１は、使用者による湯量切り替えスイッチ３６の切替動作に依存して開閉が無効または有効となる。それゆえ、注水レバー３１および湯量切り替えスイッチ３６の操作により、流路６１および６２の両方が開状態、および流路６２のみが開状態に切り替えることができる。したがって、注水レバー３１の操作により飲料を注ぎ口部１２から注出するに際し、注ぎ口部１２から注出される液量を切替えることができる。例えば、湯量切り替えスイッチ３６を後方へ移動させることにより、注ぎ口部１２から注出される湯量をコーヒーのドリップ時の少量の湯量に切り替えることができる。
【００５３】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５４】
本実施形態では、注ぎ口部１２から注出される湯の整流機構について、説明する。図２の２０１０および２０２０、並びに図３の３０１０および３０２０に示されるように、電気ケトル１００には、整流筒部材５１が設けられる。整流筒部材５１は、流路６１および６２の前方の端部に設けられている。また、流路６２の前方の端部は、流路６１の前方の端部よりも後方に配置されている。
【００５５】
流路６１および６２から注出したお湯は、整流筒部材５１を通過して、注ぎ口部１２へ流入する。このとき、整流筒部材５１は、注ぎ口部１２へ流入するお湯の流れのガイドとして機能する。このため、整流筒部材５１により整流された状態で注ぎ口部１２からお湯が注出される。その結果、電気ケトル１００では、整流筒部材５１により、注ぎ口部１２から注出されるお湯の整流性が向上する。
【００５６】
また、電気ケトル１００は、注出されるお湯の整流性を向上させるため、注ぎ口部１２の構造に特徴がある。図４の４０１０は、電気ケトル１００の注ぎ口部１２の上方から見た外観を示す斜視図である。また、図４の４０２０は、電気ケトル１００の注ぎ口部１２の前後方向に対して垂直な断面形状を示す断面図である。
【００５７】
図４の４０１０および４０２０に示されるように、注ぎ口部１２は、前後方向（すなわち、液体が抽出される方向）に対して垂直な断面形状が下方へ窪んだＵ字形状となっている。注ぎ口部１２の断面形状は、中心線Ｃに対して線対称である。また、注ぎ口部１２を構成する、互いに対向する側壁間の間隔は、前方へ向かうに従い小さくなっている。また、注ぎ口部１２の頂底部（注ぎ口部１２の断面形状（Ｕ字形状）の底部）は、前方へ向かうに従い上側へ位置するように構成されている。
【００５８】
電気ケトル１００の注ぎ口部１２では、当該注ぎ口部１２を構成する側壁１３は、面一の構成ではなく、複数の面により構成されている。より具体的には、側壁１３は、側壁面１３ａ、１３ｂ、および１３ｃにより構成されている。側壁面１３ａは、注ぎ口部１２の底部を構成する面である。また、側壁面１３ｃは、注ぎ口部１２の上部を構成する面である。側壁面１３ｂは、側壁面１３ａと側壁面１３ｃとの間を連結する面である。
【００５９】
側壁面１３ａおよび側壁面１３ｃはＵ字状面を構成する曲面である一方、側壁面１３ｂは偏平面である。側壁面１３ｂは、中心線Ｃに対して線対称になるように２つ設けられ、側壁面１３ａから上方に折れ曲がって延在する。また、２つの側壁面１３ｂ・１３ｂ間の間隔は、前方へ向かうに従い小さくなっている。そして、注ぎ口部１２の前方端部での２つの側壁面１３ｂ・１３ｂ間の間隔は、流路６２の幅よりも小さくなっている。
【００６０】
注ぎ口部１２では、側壁面１３ａおよび側壁面１３ｂは、流路６２のみを流れるお湯の流れのガイドを構成する。また、側壁面１３ａから１３ｃは、流路６１および６２の両方を流れるお湯のガイドを構成する。このように、電気ケトル１００では、注ぎ口部１２に流路６２のみを流れるお湯の流れのガイドが形成されている。それゆえ、湯量切り替えスイッチ３６を後方へ移動させて注出される湯量を少量にしたとき、注ぎ口部１２から注出されるお湯の整流性が向上する。
【００６１】
また、本実施形態では、飲料供給器が電気ケトル１００である場合を例に挙げて説明したが、上記飲料供給器は、これに限定されるものではない。本実施形態は、例えば、ハンドポットや電気ケトル等、取っ手を持って傾けることによって飲料等の内容物を供給する飲料供給器全般に好適に適用することができる。
【００６２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６３】
１０            ケトル本体（貯液部）
１２            注ぎ口部
１３            側壁
１３ａ          側壁面（注ぎ口部の底部を構成する曲面）
１３ｂ          側壁面（偏平面）
３０            蓋体
３１            注水レバー（抽出レバー）
３２            第１開弁部材（開弁部、第１の開弁部）
３３            第２開弁部材（開弁部、第２の開弁部）
３４            開口部（非当接押圧部、切替部）
３５            スライド部材（当接押圧部、切替部）
３６            湯量切り替えスイッチ
４１            メイン開閉弁（第１の開閉弁）
４２            サブ開閉弁（第２の開閉弁）
６１            流路（第１の流路）
６２            流路（第２の流路）
１００          電気ケトル（飲料供給器）
【図１】
2020185280.tif 000003
【図２】
2020185280.tif 000004
【図３】
2020185280.tif 000005
【図４】
2020185280.tif 000006
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
使用者の抽出操作を受け付ける抽出レバーと、
貯液部から注ぎ口部へ液体を送る複数の流路と、
前記複数の流路のそれぞれに対応して設けられ、前記抽出レバーの抽出操作により前記流路を開閉する複数の開閉弁と、
前記複数の開閉弁のうち少なくとも１つである切替対象弁を押圧することで開弁させる当接押圧部と、前記切替対象弁を押圧しない非当接押圧部と、を備え、使用者の切替操作を受け付けて前記当接押圧部と前記非当接押圧部とを切り替える切替部と、を備えた、飲料供給器。
【請求項２】
前記当接押圧部と前記非当接押圧部との前記切り替えは、前記当接押圧部が前記切替対象弁に対して相対的に移動することにより行われる、請求項１に記載の飲料供給器。
【請求項３】
前記複数の流路は、第１および第２の流路からなり、
前記開閉弁は、前記第１の流路の開閉を切替える第１の開閉弁と、前記第２の流路の開閉を切替える第２の開閉弁と、からなり、
前記抽出レバーに連動して前記第１および第２の開閉弁を押圧することで開弁させる開弁部を備え、
前記開弁部は、
前記切替部が設けられ、前記第１の開閉弁を開弁させる第１の開弁部と、
前記第１の開弁部に連動して前記第２の開閉弁を開弁させる第２の開弁部と、を備え、
前記切替部の切り替えにより、前記第１の開閉弁の開閉が無効になる一方、前記第２の開閉弁の開閉は有効である、請求項１または２に記載の飲料供給器。
【請求項４】
前記注ぎ口部は、液体が抽出される方向に対して垂直な断面形状が下方へ窪んだＵ字形状であり、
前記注ぎ口部を構成する側壁面は、前記注ぎ口部の底部を構成する曲面から上方へ延在する偏平面を２つ有する、請求項１〜３の何れか１項に記載の飲料供給器。